(57)【要約】      （修正有）【課題】複数の真空層を使用して建築構造を強化して安全性を高められるようにした組合せ式多層真空建築用基材の提供。【解決手段】外から内に複数の真空層が設けられ、複数の隔離板で複数の真空層が相互に隔離されている主体と、該主体の外縁に取り付けられた第１係止部と、該主体の外縁に取り付けられた第２係止部と、を具え：複数の隔離板により相互に隔離された複数の真空層により、外力衝撃を緩衝して破壊を防止し、且つ複数の真空層の構造により、熱の伝導を遮断し、防火、断熱の効果を具備し、また上述の第１係止部が別の基材の第２係止部と相互に接合され、これにより簡単に組合せられ、建築構造に応用される時、その複数の真空層の設計により外力の衝撃を緩和する空間を提供し、耐震の機能を具備する。【選択図】図２
0003103071.tif 000002
【実用新案登録請求の範囲】
【請求項１】
建築構造を強化し安定性を増す建築基材（１，２）である組合せ式多層真空建築基材において、
金属材質であり外から内に複数の真空層（１００，２００）が設けられ、複数の隔離板（１０２，２０２）で複数の真空層（１００，２００）が相互に隔離され、建築構造の必要に応じて形状が設計される主体（１０，２０）と、
該主体（１０，２０）の外縁に取り付けられた第１係止部（１１，２１，２１ａ）と、  該主体（１０，２０）の外縁に取り付けられた第２係止部（１２，２２，２２ａ）と、  を具え、該第１係止部（１１，２１，２１ａ）と第２係止部（１２，２２，２２ａ）が別の建築基材（１，２）の第２係止部（１２，２２，２２ａ）と第１係止部（１１，２１，２１ａ）と直列に接続可能で、これにより組合せ式建築基材を形成することを特徴とする、組合せ式多層真空建築基材。
【請求項２】
請求項１記載の組合せ式多層真空建築基材において、第１係止部（１１，２１，２１ａ）及び第２係止部（１２，２２，２２ａ）が二つのガイドレールとされたことを特徴とする、組合せ式多層真空建築基材。
【請求項３】
請求項１記載の組合せ式多層真空建築基材において、建築基材（１，２）にセメント材料と接合性の材料の使用が組み合わされ、第１係止部（１１，２１，２１ａ）と第２係止部（１２，２２，２２ａ）間の密着度が増されたことを特徴とする、組合せ式多層真空建築基材。
【考案の詳細な説明】
【技術分野】
【０００１】
本考案は一種の組合せ式多層真空建築基材に係り、特に、複数の真空層を利用して建築構造を強化する建築基材に関する。
【背景技術】
【０００２】
時代と共に、建築物は早期の煉瓦を使用したものから現在の鉄筋コンクリート造に、さらには先進の電子化ビルへと進化し、建築技術は進歩を続けている。地震や災害或いはその他の因子による建築物或いは土木工程等の壁の損害を減らすために、多くの業者がさまざまな建築材料を提供し、その結合度を増して建築物の強度を高める努力を行なっている。しかし材料を減らして利潤を増すために建築材量にアルカリ性発泡剤を加える者もおり、そのために建築物の壁が崩壊して住民の安全を脅かす事件も発生している。
【０００３】
早期の煉瓦、石膏材料及びセメントを使用した建築物は強固でないため、国家によっては煉瓦の使用を禁止している。煉瓦は高温で焼成し、その発生する排ガスは空気を汚染しやすい。また、周知の技術には真空層を建築基材に応用したものもあるが、ほとんどは大自然の災害（地震、酸性雨による侵食、温室効果等）に遇うと損壊し、建築基材の寿命が短い。
【０００４】
特許文献１には、熱伝導性が低い廃棄物燃焼灰と人造けい石微粉末の混合物を、高い通気性で孔隙度の低い不織布フィルタ層で被覆し、乾燥後に加圧成形して金属薄膜を具えた高い空気遮断性のプラスチックフィルムバッグ内に入れ、２０Ｔｏｒｒ以下の真空度に減圧して密封してなる真空断熱片が提供されている。しかしこれは一般の断熱用とされ、建築材料ではなく、且つ真空度の範囲を計量する必要があり、製造上、容易でなく且つ製造コストが高くつく。
【０００５】
また、特許文献２にはハニカム式真空断熱ブロックが提示され、それはセメント、砂利及びＥＰＳを結合してなる。ブロックの表面層と底層内部構造はハニカムに類似の井戸型格子に設計され、その作用は建築上の格子梁に類似し、全部で１６格子を具えており、ブロック面の受ける圧力が平均に分散される。また、ブロックの中間部分に表面層から断熱層を通り底部に至る４本の支持柱が設けられ、このようなハニカム状の格子梁と支持柱は、ブロックの型内にセメントを注入して成形しなければならず、受ける圧力を平均して分散できるとはいえ、外力が１点に集中すると損壊しやすく、ハニカム状の設計は面倒で、且つ選択する材料は強い地震には抵抗しきれない。
【０００６】
【特許文献１】台湾特許公報第２８２７９９号明細書
【特許文献２】台湾特許公報第１１３７０７号明細書
【考案の開示】
【考案が解決しようとする課題】
【０００７】
本考案の主要な目的は、一種の組合せ式多層真空建築基材を提供することにあり、それは、複数の真空層を使用して建築構造を強化して安全性を高められるようにしたものとする。
【課題を解決するための手段】
【０００８】
請求項１の考案は、建築構造を強化し安定性を増す建築基材（１，２）である組合せ式多層真空建築基材において、
金属材質であり外から内に複数の真空層（１００，２００）が設けられ、複数の隔離板（１０２，２０２）で複数の真空層（１００，２００）が相互に隔離され、建築構造の必要に応じて形状が設計される主体（１０，２０）と、
該主体（１０，２０）の外縁に取り付けられた第１係止部（１１，２１，２１ａ）と、  該主体（１０，２０）の外縁に取り付けられた第２係止部（１２，２２，２２ａ）と、  を具え、該第１係止部（１１，２１，２１ａ）と第２係止部（１２，２２，２２ａ）が別の建築基材（１，２）の第２係止部（１２，２２，２２ａ）と第１係止部（１１，２１，２１ａ）と直列に接続可能で、これにより組合せ式建築基材を形成することを特徴とする、組合せ式多層真空建築基材としている。
請求項２の考案は、請求項１記載の組合せ式多層真空建築基材において、第１係止部（１１，２１，２１ａ）及び第２係止部（１２，２２，２２ａ）が二つのガイドレールとされたことを特徴とする、組合せ式多層真空建築基材としている。
請求項３の考案は、請求項１記載の組合せ式多層真空建築基材において、建築基材（１，２）にセメント材料と接合性の材料の使用が組み合わされ、第１係止部（１１，２１，２１ａ）と第２係止部（１２，２２，２２ａ）間の密着度が増されたことを特徴とする、組合せ式多層真空建築基材としている。
【考案の効果】
【０００９】
本考案は、複数の隔離板により相互に隔離された複数の真空層により、外力衝撃を緩衝して破壊を防止し、且つ複数の真空層の構造により、熱の伝導を遮断し、防火、断熱の効果を具備し、また上述の第１係止部が別の基材の第２係止部と相互に接合され、これにより簡単に組合せられ、建築構造に応用される時、その複数の真空層の設計により外力の衝撃を緩和する空間を提供し、耐震の機能を具備する。
【考案を実施するための最良の形態】
【００１０】
本考案の組合せ式多層真空建築基材は、
外から内に複数の真空層が設けられ、複数の隔離板で複数の真空層が相互に隔離されている主体と、
該主体の外縁に取り付けられた第１係止部と、
該主体の外縁に取り付けられた第２係止部と、
を具えている。
【００１１】
本考案は、複数の隔離板により相互に隔離された複数の真空層により、外力衝撃を緩衝して破壊を防止し、且つ複数の真空層の構造により、熱の伝導を遮断し、防火、断熱の効果を具備し、また上述の第１係止部が別の基材の第２係止部と相互に接合され、これにより簡単に組合せられ、建築構造に応用される時、その複数の真空層の設計により外力の衝撃を緩和する空間を提供し、耐震の機能を具備する。
【実施例１】
【００１２】
図１、２、３に示されるのは本考案の実施例１である。本考案の組合せ式多層真空建築基材１は、周知の技術の問題を解決するのに用いられ、本実施例は複数の真空層１００の設計を利用し、周知の技術の不足点を補強する。本考案の建築基材１は、主体１０と、第１係止部１１と、第２係止部１２を具えている。
【００１３】
該主体１０は、金属材料で形成され、外から内に複数の真空層１００が設けられ、複数の隔離板１０２で複数の真空層１００が相互に隔離されている。そのうち、主体１０の被覆面１０１の形状は建築構造の必要により設計される。前述の真空層１００は外力の衝撃を緩衝する空間を提供し、且つ複数の真空層１００の構造は完全に熱の伝導を遮断し、断熱の効果を有する。
【００１４】
該第１係止部１１は、外向きに突出し並びに円弧状の凸部１１０、１１１を具え、主体１０の外縁の両側に取り付けられる。
【００１５】
該第２係止部１２は、内向きに漸縮し並びに円弧状を呈する凹部１２０、１２１を具え、主体１０の外縁両側に取り付けられる。そのうち、該第１係止部１１の凸部１１１は、もう一つの建築基材１の第２係止部１２の凹部１２０と相互に接合可能で、第２係止部１２の凹部１２１はもう一つの建築基材１の第１係止部１１の凸部１１０と相互に接合可能であり（図３）、これにより組合せ式建築基材を形成する。その組立の範囲は建築構造の必要により、複数の建築基材１で構成されるほか、一般のセメント材料或いはその他の接合性の材料が組み合わされて、第１係止部１１と第２係止部１２の密着度が強化される。
【００１６】
図２、３に示されるように、本考案は真空層１００の設計を利用した組合せ式多層真空建築用基材であり、本考案を使用して一棟の建築物を建設すると、火災に遭遇した時、本考案の構造は破壊されにくい。なぜなら内部に複数の真空層１００を具えて熱の伝導を遮断するためであり、これにより住民は十分な避難時間を確保できる。また地震時には、真空層１００が外力の衝撃を緩衝する空間を提供し、建築物の損壊を防止する。また、寒冷な冬には真空層１００により室内の保温効果が高まり、建築物内の温度を保持し、外界の影響を受けにくくする。
【実施例２】
【００１７】
図４、５、６に示されるのは本考案の実施例２である。本実施例では複数の真空層２００を具えた正方形の建築基材２とされ、それは、主体２０と、第１係止部２１、２１ａと、第２係止部２２、２２ａを具えている。
【００１８】
該主体２０は、外から内に複数の真空層２００が設けられ、複数の隔離板２０２で複数の真空層２００が相互に隔離されている。そのうち、主体２０の被覆面２０１の形状は建築構造の必要により設計される。前述の真空層２００は外力の衝撃を緩衝する空間を提供し、且つ複数の真空層２００の構造は完全に熱の伝導を遮断し、断熱の効果を有する。
【００１９】
該第１係止部２１、２１ａは、外向きに突出し並びに円弧状を呈し、主体２０の外縁の両側に取り付けられる。
【００２０】
該第２係止部２２、２１ａは、内向きに漸縮し並びに円弧状を呈し、主体２０の外縁両側に取り付けられる。そのうち、該第２係止部２２ａはもう一つの建築基材２の第１係止部２１と相互に接合可能で、第１係止部２１ａはもう一つの建築基材２の第２係止部２２と相互に接合可能であり（図６）、これにより組合せ式建築基材を形成する。その組立の範囲は建築構造の必要により、複数の建築基材２で構成される。
【図面の簡単な説明】
【００２１】
【図１】本考案の第１実施例の斜視図である。
【図２】図１のＡ−Ａ断面図である。
【図３】本考案の第１実施例の組合せ表示図である。
【図４】本考案の第２実施例の斜視図である。
【図５】図４のＢ−Ｂ断面図である。
【図６】本考案の２１実施例の組合せ表示図である。
【符号の説明】
【００２２】
（１，２）建築基材
（１０，２０）主体
（１００，２００）真空層
（１０２，２０２）隔離板
（１１，２１，２１ａ）第１係止部
（１２，２２，２２ａ）第２係止部
（１１０，１１１）凸部
（１２０，１２１）凹部
（１０１，２０１）被覆面
【図１】
0003103071.tif 000003
【図２】
0003103071.tif 000004
【図３】
0003103071.tif 000005
【図４】
0003103071.tif 000006
【図５】
0003103071.tif 000007
【図６】
0003103071.tif 000008